(57)【要約】【課題】デジタルカメラにおいて静止画像の撮影及び音声情報の録音を行う際の操作の煩雑さを低減させる。【解決手段】ユーザにより撮影ボタン３が押下されると、撮影手段４により静止画像の撮影が実行されるとともに、録音手段６により所定時間録音が行われる。撮影された静止画像データ及び録音された音声データは、記録制御手段９により、記録手段１０に記録される。【選択図】図１
2005303805.tif 000002
【特許請求の範囲】
【請求項１】
静止画像撮影手段と、
音声情報を録音する録音手段と、
指示操作入力により前記静止画像撮影手段に対して撮影動作指示情報を出力する撮影指示手段と、
前記撮影指示手段からの撮影動作指示情報に基づいて、前記静止画像撮影手段の撮影動作を制御し、かつ、この撮影動作に連動して前記録音手段の録音動作を制御する制御手段と、
を備えたことを特徴とするデジタルカメラ。
【請求項２】
請求項１に記載のデジタルカメラにおいて、
前記制御手段は、前記静止画像撮影手段の撮影動作時点から所定時間だけ前記録音手段の録音動作を行うよう制御することを特徴とするデジタルカメラ。
【請求項３】
請求項２に記載のデジタルカメラにおいて、
前記制御手段は、前記録音手段の録音動作中に前記撮影指示手段から新たな撮影動作指示情報が出力された場合、前記新たな撮影動作指示情報に基づいて撮影された新たな静止画像とその前の先行撮影動作指示情報に基づいて撮影された先行静止画像とが関連することを示す関連情報を生成し、当該生成された関連情報を記録手段に記録させることを特徴とするデジタルカメラ。
【請求項４】
請求項１〜３のいずれか一項に記載のデジタルカメラにおいて、
前記制御手段は、前記録音手段に前記音声情報を更新可能に録音させることを特徴とするデジタルカメラ。
【請求項５】
請求項１〜４のいずれか一項に記載のデジタルカメラにおいて、
前記静止画像撮影手段により撮影された静止画像を表示する表示手段と、前記録音手段により録音された音声情報を再生する音声再生手段と、をさらに備え、
前記制御手段は、前記音声情報の再生時間だけ前記静止画像を表示させるよう前記表示手段を制御することを特徴とするデジタルカメラ。
【請求項６】
静止画像撮影手段と、
音声情報を録音する録音手段と、
前記録音手段により録音された音声情報と前記録音手段の録音動作中に前記静止画像撮影手段により撮影された複数の静止画像とが関連することを示す関連情報を生成し、当該生成された関連情報を記録手段に記録させる制御手段と、
を備えたことを特徴とするデジタルカメラ。
【請求項７】
デジタルカメラに搭載されたコンピュータに、
撮影指示手段からの撮影動作指示情報に基づいて、静止画像撮影手段に撮影動作を行わせる機能と、
前記静止画像撮影手段の撮影動作に連動して録音手段に音声情報を録音させる機能と、
を実現させるためのプログラム。
【請求項８】
請求項７に記載のプログラムにおいて、
前記録音手段に音声情報を録音させる機能を実現させる際に、
前記静止画像撮影手段の撮影動作時点から所定時間だけ前記録音手段の録音動作を行わせることを特徴とするプログラム。
【請求項９】
請求項８に記載のプログラムにおいて、
前記コンピュータに、
前記録音手段の録音動作中に前記撮影指示手段から新たな撮影動作指示情報が出力された場合、前記新たな撮影動作指示情報に基づいて撮影された新たな静止画像とその前の先行撮影動作指示情報に基づいて撮影された先行静止画像とが関連することを示す関連情報を生成し、当該生成された関連情報を記録手段に記録させる機能を実現させることを特徴とするプログラム。
【請求項１０】
請求項７〜９のいずれか一項に記載のプログラムにおいて、
前記コンピュータに、
前記録音手段に前記音声情報を更新可能に録音させる機能を実現させることを特徴とするプログラム。
【請求項１１】
請求項７〜１０のいずれか一項に記載のプログラムにおいて、
前記コンピュータに、
前記音声情報を音声再生手段に再生させる再生時間だけ前記静止画像を表示手段に表示させる機能を実現させることを特徴とするプログラム。
【請求項１２】
デジタルカメラに搭載されたコンピュータに、
録音手段により録音された音声情報と前記録音手段の録音動作中に静止画像撮影手段により撮影された複数の静止画像とが関連することを示す関連情報を生成し、当該生成された関連情報を記録手段に記録させる機能を実現させるためのプログラム。
【発明の詳細な説明】
【技術分野】
【０００１】
本発明は、静止画像の撮影及び音声情報の録音を行うデジタルカメラ及びプログラムに関する。
【背景技術】
【０００２】
近年、デジタルカメラは急速に進歩し、高画質化、多機能化が進んでいる。デジタルカメラによって撮影されるショット数も急速に伸びており、アナログカメラの６倍以上にもなっている。しかし、デジタルカメラで撮影した画像をプリントとして保管することは少なく、ＰＣ（Personal Computer）で保管されることが多いため、画像をアルバムに整理することは少なくなった。
【０００３】
また、最近のデジタルカメラでは、撮影した静止画像に対して、音声情報を付加することができるものも多くなっている（例えば、特許文献１参照。）。この機能を用いて、撮影後の静止画像に音声情報を付加することにより、画像の整理に役立たせることができる。
【特許文献１】特開平９−９８３７３号公報
【発明の開示】
【発明が解決しようとする課題】
【０００４】
しかしながら、デジタルカメラにおいて、撮影した静止画像に音声情報を付加する場合には、画像再生モードに設定し、画像を再生しながら音声情報を録音しなければならず、操作が非常に煩雑であった。また、大量に撮影した後に、まとめてひとつひとつの画像に音声情報を付加する場合、各画像に対する記憶に頼るしかないため、間違えることも多く、非常に面倒であった。さらに、撮影後しばらく経過した後に音声情報を付加したのでは、臨場感が感じられず、感動も薄れてしまっていた。
【０００５】
本発明は、デジタルカメラにおいて静止画像の撮影及び音声情報の録音を行う際の操作の煩雑さを低減させることを課題とする。
【課題を解決するための手段】
【０００６】
請求項１に記載の発明は、デジタルカメラにおいて、静止画像撮影手段と、音声情報を録音する録音手段と、指示操作入力により前記静止画像撮影手段に対して撮影動作指示情報を出力する撮影指示手段と、前記撮影指示手段からの撮影動作指示情報に基づいて、前記静止画像撮影手段の撮影動作を制御し、かつ、この撮影動作に連動して前記録音手段の録音動作を制御する制御手段と、を備えたことを特徴とする。
【０００７】
請求項２に記載の発明は、請求項１に記載のデジタルカメラにおいて、前記制御手段は、前記静止画像撮影手段の撮影動作時点から所定時間だけ前記録音手段の録音動作を行うよう制御することを特徴とする。
【０００８】
請求項３に記載の発明は、請求項２に記載のデジタルカメラにおいて、前記制御手段は、前記録音手段の録音動作中に前記撮影指示手段から新たな撮影動作指示情報が出力された場合、前記新たな撮影動作指示情報に基づいて撮影された新たな静止画像とその前の先行撮影動作指示情報に基づいて撮影された先行静止画像とが関連することを示す関連情報を生成し、当該生成された関連情報を記録手段に記録させることを特徴とする。
【０００９】
請求項４に記載の発明は、請求項１〜３のいずれか一項に記載のデジタルカメラにおいて、前記制御手段は、前記録音手段に前記音声情報を更新可能に録音させることを特徴とする。
【００１０】
請求項５に記載の発明は、請求項１〜４のいずれか一項に記載のデジタルカメラにおいて、前記静止画像撮影手段により撮影された静止画像を表示する表示手段と、前記録音手段により録音された音声情報を再生する音声再生手段と、をさらに備え、前記制御手段は、前記音声情報の再生時間だけ前記静止画像を表示させるよう前記表示手段を制御することを特徴とする。
【００１１】
請求項６に記載の発明は、デジタルカメラにいおいて、静止画像撮影手段と、音声情報を録音する録音手段と、前記録音手段により録音された音声情報と前記録音手段の録音動作中に前記静止画像撮影手段により撮影された複数の静止画像とが関連することを示す関連情報を生成し、当該生成された関連情報を記録手段に記録させる制御手段と、を備えたことを特徴とする。
【００１２】
請求項７に記載の発明は、デジタルカメラに搭載されたコンピュータに、撮影指示手段からの撮影動作指示情報に基づいて、静止画像撮影手段に撮影動作を行わせる機能と、前記静止画像撮影手段の撮影動作に連動して録音手段に音声情報を録音させる機能と、を実現させるためのプログラムである。
【００１３】
ここで、コンピュータとは、バスで接続されたＣＰＵ（Central Processing Unit）、ＲＯＭ（Read Only Memory）、ＲＡＭ（Random Access Memory）及びＩ／Ｏを基本構成とする装置であって、マイクロコンピュータ、マイクロプロセッサ等を含み、その組み込み先装置の如何を問わない。したがって、本発明に係るプログラムは、上記コンピュータのＲＯＭに格納され、ＣＰＵの統括的制御下においてＲＡＭに展開され、実行に供されるものであるから、本発明のコンピュータプログラムの技術的範囲は、当該プログラムが搭載されたコンピュータの格納先の装置に及ぶものである（以下、同様）。
【００１４】
請求項８に記載の発明は、請求項７に記載のプログラムにおいて、前記録音手段に音声情報を録音させる機能を実現させる際に、前記静止画像撮影手段の撮影動作時点から所定時間だけ前記録音手段の録音動作を行わせることを特徴とする。
【００１５】
請求項９に記載の発明は、請求項８に記載のプログラムにおいて、前記コンピュータに、前記録音手段の録音動作中に前記撮影指示手段から新たな撮影動作指示情報が出力された場合、前記新たな撮影動作指示情報に基づいて撮影された新たな静止画像とその前の先行撮影動作指示情報に基づいて撮影された先行静止画像とが関連することを示す関連情報を生成し、当該生成された関連情報を記録手段に記録させる機能を実現させることを特徴とする。
【００１６】
請求項１０に記載の発明は、請求項７〜９のいずれか一項に記載のプログラムにおいて、前記コンピュータに、前記録音手段に前記音声情報を更新可能に録音させる機能を実現させることを特徴とする。
【００１７】
請求項１１に記載の発明は、請求項７〜１０のいずれか一項に記載のプログラムにおいて、前記コンピュータに、前記音声情報を音声再生手段に再生させる再生時間だけ前記静止画像を表示手段に表示させる機能を実現させることを特徴とする。
【００１８】
請求項１２に記載の発明は、デジタルカメラに搭載されたコンピュータに、録音手段により録音された音声情報と前記録音手段の録音動作中に静止画像撮影手段により撮影された複数の静止画像とが関連することを示す関連情報を生成し、当該生成された関連情報を記録手段に記録させる機能を実現させるためのプログラムである。
【発明の効果】
【００１９】
請求項１、７に記載の発明によれば、撮影動作指示情報に基づいて、静止画像撮影手段に撮影動作を行わせ、かつ、この撮影動作に連動して録音手段に録音動作を行わせるので、静止画像の撮影及び音声情報の録音を行う際の操作の煩雑さを低減させることができる。
【００２０】
請求項２、８に記載の発明によれば、静止画像撮影手段の撮影動作時点から所定時間だけ録音手段の録音動作を行わせることができる。
【００２１】
請求項３、９に記載の発明によれば、録音動作中に撮影指示手段から新たな撮影動作指示情報が出力された場合、新たな撮影動作指示情報に基づいて撮影された新たな静止画像とその前の先行撮影動作指示情報に基づいて撮影された先行静止画像とが関連することを示す関連情報を生成し、生成された関連情報を記録手段に記録させるので、所定時間以上間隔をあけずに撮影された静止画像を同一のグループとして管理することができる。
【００２２】
請求項４、１０に記載の発明によれば、録音手段に音声情報を更新可能に録音させるので、音声情報を修正することができる。
【００２３】
請求項５、１１に記載の発明によれば、音声情報の再生時間だけ静止画像を表示させることができる。
【００２４】
請求項６、１２に記載の発明によれば、音声情報とこの音声情報の録音動作中に撮影された複数の静止画像とが関連することを示す関連情報を生成し、生成された関連情報を記録手段に記録させるので、録音動作中に撮影された複数の静止画像を同一のグループとして管理することができ、静止画像の撮影及び音声情報の録音を行う際の操作の煩雑さを低減させることができる。
【発明を実施するための最良の形態】
【００２５】
［第１の実施の形態］
以下、図面を参照して、本発明の第１の実施の形態を説明する。ただし、図示例に限定されるものではない。
図１に、第１の実施の形態におけるデジタルカメラ１００の機能的構成を示す。デジタルカメラ１００は、メイン制御手段１、撮影制御手段２、撮影ボタン３、撮影手段４、録音制御手段５、録音手段６、画像処理手段７、表示手段８、記録制御手段９、記録手段１０、操作手段１１、プログラムメモリ１２、音声再生手段１３を備える。
【００２６】
メイン制御手段１は、プログラムメモリ１２に格納されたプログラムに従って、デジタルカメラ１００の各部を統括的に制御する。
【００２７】
撮影制御手段２は、撮影ボタン３からの撮影動作指示情報に基づいて、撮影動作を実行するよう撮影手段４を制御するとともに、撮影指示の入力があったという情報をメイン制御手段１に出力する。
【００２８】
撮影ボタン３は、撮影指示を入力するための入力手段（シャッターボタン）であり、ユーザに押下された場合に、撮影制御手段２に撮影動作指示情報を出力する。
【００２９】
撮影手段４は、レンズ、ＣＣＤ（Charge Coupled Device）、Ａ／Ｄ変換器等により構成される。撮影手段４は、レンズを介して入射された撮影画像をＣＣＤにより電気信号（アナログ信号）に光電変換し、このアナログ信号をＡ／Ｄ変換器によりデジタル信号に変換して、静止画像データを生成する。
【００３０】
録音制御手段５は、メイン制御手段１の制御に従って、音声情報（以下、音声データという。）の録音動作を実行するよう録音手段６を制御する。ここで、音声とは、人間の声に限らず、動物の鳴き声や環境音等の音を含むこととする。
【００３１】
録音手段６は、マイクロホン、Ａ／Ｄ変換器等により構成され、マイクロホンから入力された音声をＡ／Ｄ変換器によりデジタル信号に変換して、音声データを生成する。
【００３２】
画像処理手段７は、撮影手段４により撮影された静止画像データに画像処理を施し、メイン制御手段１に出力する。
【００３３】
表示手段８は、ＬＣＤ（Liquid Crystal Display）等を備え、メイン制御手段１から入力される表示制御信号に従って、所要の表示処理を行う。また、表示手段８は、撮影手段４により撮影される画像を連続的に表示するファインダとしての機能を有する。
【００３４】
記録制御手段９は、メイン制御手段１の制御に従って、撮影手段４により撮影された静止画像データ及び録音手段６により録音された音声データを記録手段１０に記録する。
【００３５】
記録手段１０は、静止画像データ及び音声データを記録するためのメモリである。記録手段１０としては、スマートメディア、コンパクトフラッシュ（登録商標）、メモリースティック（登録商標）、ＳＤメモリーカード、マルチメディアカード等が挙げられる。
【００３６】
操作手段１１は、モード切替ボタン１１ａ、録音修正ボタン１１ｂ、カーソルボタン、決定ボタン等により構成され、各ボタンの押下による操作信号をメイン制御手段１に出力する。
【００３７】
プログラムメモリ１２は、メイン制御手段１が実行するためのプログラムを記憶している。
【００３８】
音声再生手段１３は、増幅器、スピーカ等から構成され、音声データを再生する。
【００３９】
次に、動作について説明する。
図２は、デジタルカメラ１００において実行される静止画像撮影・録音処理１を示すフローチャートである。
【００４０】
まず、操作手段１１のモード切替ボタン１１ａが押下されることにより、撮影・録音モードに設定される（ステップＳ１）。撮影・録音モードに設定されると、メイン制御手段１により、撮影制御手段２に撮影の開始準備の指示が与えられ、録音制御手段５に録音の開始準備の指示が与えられる。
【００４１】
そして、撮影制御手段２により、撮影手段４に対して、フォーカス合わせや露出制御等の撮影準備の指示が与えられる。表示手段８には、撮影手段４により撮影される画像が連続的に表示される。また、録音制御手段５により、録音手段６に録音準備の指示が与えられる（ステップＳ２）。
【００４２】
その後、ユーザにより撮影ボタン３が押下され、撮影制御手段２に撮影動作指示情報が出力されると（ステップＳ３；ＹＥＳ）、撮影手段４により静止画像の撮影が実行される（ステップＳ４）。撮影された静止画像データには、画像処理手段７により所定の画像処理が施され、記録制御手段９により、記録手段１０に記録される（ステップＳ５）。
【００４３】
また、撮影制御手段２に撮影動作指示情報が出力されると（ステップＳ３；ＹＥＳ）、撮影指示の入力があったという情報がメイン制御手段１に出力され、メイン制御手段１により、録音制御手段５に所定時間録音を行うよう指示が与えられる。そして、録音制御手段５により、録音手段６に所定時間録音を行うよう指示が与えられ、録音が開始される（ステップＳ４）。録音開始後、所定時間が経過すると（ステップＳ６；ＹＥＳ）、録音が終了する（ステップＳ７）。
【００４４】
録音された音声データは、記録制御手段９により、対応する静止画像データと関連付けられて記録手段１０に記録される（ステップＳ８）。
以上で、デジタルカメラ１００における静止画像撮影・録音処理１が終了する。
【００４５】
図３（ａ）に、本実施の形態における撮影及び録音のタイミングを示す。図３（ａ）に示すように、静止画像の撮影と同時に録音が開始され、所定時間録音した後、録音が終了する。
【００４６】
図４を参照して、静止画像データファイルと音声データファイルとを関連付ける方法を説明する。例えば、対応する静止画像データと音声データのファイル名を同一ファイル名とする。図４（ａ）に示すように、静止画像データのファイル名を「Image001.jpg」、音声データのファイル名を「Image001.wav」とすることにより、これらが関連付けられていることが識別可能となる。
【００４７】
また、対応する静止画像データと音声データのファイル名の中の一部に共通の識別情報を含むこととしてもよい。図４（ｂ）に示すように、静止画像データのファイル名を「Image001.jpg」、音声データのファイル名を「Sound001.wav」とすることにより、これらが関連付けられていることが識別可能となる。
【００４８】
また、図４（ｃ）に示すように、静止画像データファイル「Image001.jpg」と音声データファイル「Sound101.wav」とが相互に対応するファイルであるという情報を含むテキストファイル「Info.txt」を静止画像データ及び音声データとともに記録することとしてもよい。
【００４９】
また、図４（ｄ）に示すように、対応する静止画像データファイル「Image001.jpg」と音声データファイル「Sound101.wav」とを、同一フォルダ内に格納することとしてもよい。
【００５０】
次に、図５を参照して、記録手段１０に記録された音声データを修正する音声修正処理について説明する。
まず、操作手段１１の録音修正ボタン１１ｂから音声データに対する修正指示が入力されたか否かが判断される（ステップＳ１１）。修正対象となる音声データファイルは、操作手段１１から選択可能とする。
【００５１】
音声データに対する修正指示が入力された場合には（ステップＳ１１；ＹＥＳ）、メイン制御手段１により、録音制御手段５に所定時間録音を行うよう指示が与えられる。そして、録音制御手段５により、録音手段６に所定時間録音を行うよう指示が与えられ、録音が開始される（ステップＳ１２）。録音開始後、所定時間が経過すると（ステップＳ１３；ＹＥＳ）、録音が終了する（ステップＳ１４）。
【００５２】
録音された音声データは、記録制御手段９により、対応する静止画像データと関連付けられて記録手段１０に記録される（ステップＳ１５）。こうして、修正対象の音声データは、新たに録音された音声データに更新される。
以上で、音声修正処理が終了する。
【００５３】
第１の実施の形態におけるデジタルカメラ１００によれば、撮影動作指示情報に基づいて、静止画像を撮影し、かつ、この撮影動作に連動して撮影動作時点から所定時間だけ音声データを録音するので、静止画像の撮影及び音声データの録音を行う際の操作の煩雑さを低減させることができる。
【００５４】
また、修正指示に基づいて、音声データを更新することができるので、音声データを修正することができる。
【００５５】
なお、第１の実施の形態においては、静止画像の撮影と同時に録音が開始されることとしたが、図３（ｂ）に示すように、静止画像の撮影から録音が開始されるまでにタイムラグがあってもよい。静止画像の撮影から録音が開始されるまでの時間は、操作手段１１から設定可能とすることとしてもよい。
【００５６】
［第２の実施の形態］
次に、本発明を適用した第２の実施の形態について説明する。
第２の実施の形態におけるデジタルカメラは、第１の実施の形態に示したデジタルカメラ１００と同様の構成であるため、同一の構成部分については同一の符号を付し、その構成については図示及び説明を省略する。以下、第２の実施の形態に特徴的な処理について説明する。
【００５７】
図６は、第２の実施の形態のデジタルカメラにおいて実行される静止画像撮影・録音処理２を示すフローチャートである。
図６に示すステップＳ２１〜Ｓ２５は、図２に示したステップＳ１〜Ｓ５と同様であるため、説明を省略する。
【００５８】
録音開始後、所定時間が経過する前に（ステップＳ２６；ＮＯ）、再度、ユーザにより撮影ボタン３が押下され、撮影制御手段２に撮影動作指示情報が出力された場合には（ステップＳ２７；ＹＥＳ）、録音手段６による録音が一旦終了し（ステップＳ２８）、録音された音声データが、対応する静止画像データと関連付けられて記録手段１０に記録される（ステップＳ２９）。そして、撮影手段４により新たな静止画像の撮影が実行されるとともに、録音手段６により録音が開始される（ステップＳ２４）。
【００５９】
このように、撮影ボタン３が押下される度に、静止画像の撮影及び音声の録音が行われる。録音開始後、所定時間が経過した場合には（ステップＳ２６；ＹＥＳ）、録音が終了する（ステップＳ３０）。録音された音声データは、記録制御手段９により、対応する静止画像データと関連付けられて記録手段１０に記録される（ステップＳ３１）。
【００６０】
ここで、所定時間以上の間隔をあけずに撮影された一連の静止画像データ及び各静止画像データに対応する音声データは、記録制御手段９により、関連付けられて記録手段１０に記録される。
以上で、第２の実施の形態のデジタルカメラにおける静止画像撮影・録音処理２が終了する。
【００６１】
図７に、本実施の形態における撮影及び録音のタイミングを示す。図７に示すように、１番目の静止画像の撮影と同時に１番目の音声の録音が開始され、所定時間（例えば、１０秒）経過しないうちに、撮影ボタン３が押下された場合には、２番目の静止画像の撮影と同時に２番目の音声の録音が開始される。１番目の静止画像に対応する音声の録音は、２番目の静止画像に対応する音声の録音開始と同時に終了する。２番目の音声の録音が開始されて所定時間経過しないうちに、撮影ボタン３が押下された場合には、３番目の静止画像の撮影と同時に３番目の音声の録音が開始される。２番目の静止画像に対応する音声の録音は、３番目の静止画像に対応する音声の録音開始と同時に終了する。３番目の音声の録音が開始されて所定時間後、音声の録音が終了する。
【００６２】
図８（ａ）に示すように、１番目の静止画像データのファイル名を「Image001.jpg」、１番目の音声データのファイル名を「Sound001.wav」、２番目の静止画像データのファイル名を「Image002.jpg」、２番目の音声データのファイル名を「Sound002.wav」、３番目の静止画像データのファイル名を「Image003.jpg」、３番目の音声データのファイル名を「Sound003.wav」、というように、対応する静止画像データと音声データのファイル名の中の一部に共通の識別情報を含むようファイル名を作成することにより、対応する静止画像データと音声データとを関連付ける。さらに、これら一連のファイルが所定時間以上間隔をあけずに撮影された静止画像データ及び各静止画像データに対応する音声データであるという情報を含むテキストファイル「Info.txt」を静止画像データ及び音声データとともに記録手段１０に記録する。
【００６３】
第２の実施の形態におけるデジタルカメラによれば、録音動作中に新たな撮影動作指示情報が出力された場合、新たな撮影動作指示情報に基づいて撮影された新たな静止画像とその前の先行撮影動作指示情報に基づいて撮影された先行静止画像とが関連することを示す関連情報を記録手段１０に記録するので、所定時間以上間隔をあけずに撮影された静止画像を同一のグループとして管理することができる。
【００６４】
なお、各静止画像データに対応する音声データを別々のファイルとして保存するのではなく、図８（ｂ）に示すように、所定時間以上間隔をあけずに撮影された静止画像データに対する連続した１つの音声データファイル「Sound001-003.wav」として保存することとしてもよい。また、所定時間以上間隔をあけずに撮影された複数の静止画像データに対して、最後に撮影された静止画像データに対応する音声データのみを保存することとしてもよい。所定時間以上間隔をあけずに複数の静止画像データが撮影された場合の音声データの保存方法は、操作手段１１から設定可能とすることとしてもよい。
【００６５】
［第３の実施の形態］
次に、本発明を適用した第３の実施の形態について説明する。
第３の実施の形態におけるデジタルカメラは、第１の実施の形態に示したデジタルカメラ１００と同様の構成であるため、同一の構成部分については同一の符号を付し、その構成については図示及び説明を省略する。以下、第３の実施の形態に特徴的な処理について説明する。
【００６６】
図９は、第３の実施の形態のデジタルカメラにおいて実行される静止画像・音声再生処理を示すフローチャートである。
【００６７】
まず、操作手段１１のモード切替ボタン１１ａが押下されることにより、再生モードに設定される（ステップＳ４１）。次に、再生される静止画像データが選択される（ステップＳ４２）。複数の静止画像データの再生を連続して実行する場合には、複数の静止画像データが選択される。
【００６８】
そして、記録手段１０に記録されている静止画像データ及び音声データのうち、選択された静止画像データ及び選択された静止画像データに対応する音声データが読み出される（ステップＳ４３）。
【００６９】
次に、表示手段８により静止画像データが表示されるとともに、音声再生手段１３により音声データが再生される（ステップＳ４４）。このとき、静止画像データの表示は、音声データが再生されている時間、すなわち、音声データが録音された時間だけ行われる。
【００７０】
再生すべき他のデータが存在する場合には（ステップＳ４５；ＹＥＳ）、次のデータが読み出される（ステップＳ４３）。
【００７１】
再生すべき他のデータがなくなった場合には（ステップＳ４５；ＮＯ）、処理が終了する。
【００７２】
第３の実施の形態におけるデジタルカメラによれば、録音された音声データを再生するとともに、音声データの再生時間だけ、対応する静止画像を表示することができる。
【００７３】
［第４の実施の形態］
次に、本発明を適用した第４の実施の形態について説明する。
図１０に、第４の実施の形態におけるデジタルカメラ２００の機能的構成を示す。デジタルカメラ２００は、メイン制御手段１、撮影制御手段２、撮影ボタン３、撮影手段４、録音制御手段５、録音手段６、画像処理手段７、表示手段８、記録制御手段９、記録手段１０、操作手段１１、プログラムメモリ１２、音声再生手段１３を備える。
【００７４】
デジタルカメラ２００は、第１の実施の形態に示したデジタルカメラ１００と同様の構成であるため、同一の構成部分については同一の符号を付し、その構成については説明を省略する。以下、第４の実施の形態に特徴的な構成及び処理について説明する。
【００７５】
操作手段１１は、モード切替ボタン１１ａ、録音修正ボタン１１ｂ、録音開始ボタン１１ｃ、録音終了ボタン１１ｄ、カーソルボタン、決定ボタン等により構成され、各ボタンの押下による操作信号をメイン制御手段１に出力する。
【００７６】
図１１は、デジタルカメラ２００において実行される静止画像撮影・録音処理３を示すフローチャートである。
【００７７】
まず、操作手段１１のモード切替ボタン１１ａが押下されることにより、撮影・録音モードに設定される（ステップＳ５１）。撮影・録音モードに設定されると、メイン制御手段１により、撮影制御手段２に撮影の開始準備の指示が与えられ、録音制御手段５に録音の開始準備の指示が与えられる。
【００７８】
そして、撮影制御手段２により、撮影手段４に対して、フォーカス合わせや露出制御等の撮影準備の指示が与えられる。表示手段８には、撮影手段４により撮影される画像が連続的に表示される。また、録音制御手段５により、録音手段６に録音準備の指示が与えられる（ステップＳ５２）。
【００７９】
その後、ユーザにより録音開始ボタン１１ｃが押下され、メイン制御手段１に録音開始指示情報が出力されると（ステップＳ５３；ＹＥＳ）、録音制御手段５に録音開始の指示が与えられ、録音手段６により、音声の録音が開始される（ステップＳ５４）。
【００８０】
録音開始後、ユーザにより撮影ボタン３が押下され、撮影制御手段２に撮影動作指示情報が出力されると（ステップＳ５５；ＹＥＳ）、撮影手段４により静止画像の撮影が実行される（ステップＳ５６）。撮影された静止画像データには、画像処理手段７により所定の画像処理が施され、記録制御手段９により、記録手段１０に記録される（ステップＳ５７）。このように、ステップＳ５５〜ステップＳ５７の処理が繰り返し実行され、複数の静止画像が撮影される。
【００８１】
そして、ユーザにより録音終了ボタン１１ｄが押下され、メイン制御手段１に録音終了指示情報が出力されると（ステップＳ５８；ＹＥＳ）、録音制御手段５に録音終了の指示が与えられ、録音手段６による音声の録音が終了する（ステップＳ５９）。
【００８２】
録音された音声データは、記録制御手段９により、録音動作中に撮影された複数の静止画像データと関連付けられて記録手段１０に記録される（ステップＳ６０）。
以上で、デジタルカメラ２００における静止画像撮影・録音処理３が終了する。
【００８３】
図１２に、本実施の形態における撮影及び録音のタイミングを示す。図１２に示すように、音声の録音が開始されてから終了するまでの録音動作中に、複数回静止画像の撮影が実行される。
【００８４】
図１３（ａ）に示すように、録音動作中に撮影された静止画像データのファイル名を「Image001.jpg」、「Image002.jpg」、「Image003.jpg」、音声データのファイル名を「Sound001-003.wav」として、音声データと音声データの録音動作中に撮影された静止画像データとを関連付けることとしてもよい。
【００８５】
また、図１３（ｂ）に示すように、ファイル名「Sound004.wav」の音声データの録音動作中に、ファイル名「Image001.jpg」、「Image002.jpg」、「Image003.jpg」の静止画像データが撮影されたという情報を含むテキストファイル「Info.txt」を音声データ及び静止画像データとともに記録することとしてもよい。
【００８６】
第４の実施の形態におけるデジタルカメラ２００によれば、音声データとこの音声データの録音動作中に撮影された複数の静止画像データとが関連することを示す関連情報を記録手段１０に記録するので、録音動作中に撮影された複数の静止画像データを同一のグループとして管理することができ、静止画像の撮影及び音声データの録音を行う際の操作の煩雑さを低減させることができる。
【００８７】
なお、上記各実施の形態における記述は、本発明に係る好適なデジタルカメラの例であり、これに限定されるものではない。デジタルカメラを構成する各装置の細部構成及び細部動作に関しても本発明の趣旨を逸脱することのない範囲で適宜変更可能である。
【図面の簡単な説明】
【００８８】
【図１】本発明の第１の実施の形態におけるデジタルカメラ１００の機能的構成を示すブロック図である。
【図２】第１の実施の形態のデジタルカメラ１００において実行される静止画像撮影・録音処理１を示すフローチャートである。
【図３】第１の実施の形態における撮影及び録音のタイミングを示す図である。
【図４】静止画像データファイルと音声データファイルとを関連付ける方法を説明するための図である。
【図５】第１の実施の形態のデジタルカメラ１００において実行される音声修正処理を示すフローチャートである。
【図６】第２の実施の形態のデジタルカメラにおいて実行される静止画像撮影・録音処理２を示すフローチャートである。
【図７】第２の実施の形態における撮影及び録音のタイミングを示す図である。
【図８】所定時間以上間隔をあけずに撮影された静止画像データファイル及びその静止画像データファイルに対応する音声データファイルとを関連付ける方法を説明するための図である。
【図９】第３の実施の形態のデジタルカメラにおいて実行される静止画像・音声再生処理を示すフローチャートである。
【図１０】第４の実施の形態におけるデジタルカメラ２００の機能的構成を示すブロック図である。
【図１１】第４の実施の形態のデジタルカメラ２００において実行される静止画像撮影・録音処理３を示すフローチャートである。
【図１２】第４の実施の形態における撮影及び録音のタイミングを示す図である。
【図１３】音声データファイルと音声データファイルの録音動作中に撮影された静止画像データファイルとを関連付ける方法を説明するための図である。
【符号の説明】
【００８９】
１００  デジタルカメラ
１  メイン制御手段
２  撮影制御手段
３  撮影ボタン
４  撮影手段
５  録音制御手段
６  録音手段
７  画像処理手段
８  表示手段
９  記録制御手段
１０  記録手段
１１  操作手段
１１ａ  モード切替ボタン
１１ｂ  録音修正ボタン
１２  プログラムメモリ
１３  音声再生手段
２００  デジタルカメラ
１１ｃ  録音開始ボタン
１１ｄ  録音終了ボタン
【図１】
2005303805.tif 000003
【図２】
2005303805.tif 000004
【図３】
2005303805.tif 000005
【図４】
2005303805.tif 000006
【図５】
2005303805.tif 000007
【図６】
2005303805.tif 000008
【図７】
2005303805.tif 000009
【図８】
2005303805.tif 000010
【図９】
2005303805.tif 000011
【図１０】
2005303805.tif 000012
【図１１】
2005303805.tif 000013
【図１２】
2005303805.tif 000014
【図１３】
2005303805.tif 000015